(57)【特許請求の範囲】
【請求項１】
金銭価値と対応付けられた携帯可能な第一の種類の記憶媒体の識別子を受信し、
前記第一の種類の記憶媒体の識別子と該第一の種類とは異なる第二の種類の、特定の場所で利用される記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、前記特定の場所で利用中の状態であることを示す場合に、前記第一の種類の記憶媒体に対する利用を許可する制御を行う、
処理をコンピュータに実行させることを特徴とする記憶媒体管理プログラム。
【請求項２】
前記第二の種類の記憶媒体は、前記特定の場所の入場時および出場時に参照される記憶媒体であり、
前記制御を行う処理は、前記第二の種類の記憶媒体の状態を示す情報が、前記第二の種類の記憶媒体が前記特定の場所の入場時に参照されたことを示す場合に、前記第一の種類の記憶媒体に対する利用を許可し、前記第二の種類の記憶媒体の状態を示す情報が、前記第二の種類の記憶媒体が前記特定の場所の出場時に参照されたことを示す場合に、前記第一の種類の記憶媒体に対する利用を許可しないことを特徴とする請求項１に記載の記憶媒体管理プログラム。
【請求項３】
前記第二の種類の記憶媒体は、前記特定の場所へ入場するための複数の手段のうち特定の手段で参照され、前記特定の手段で前記特定の場所へ入場した場合に、前記特定の場所からの出場時に参照される記憶媒体であることを特徴とする請求項２に記載の記憶媒体管理プログラム。
【請求項４】
前記第二の種類の記憶媒体は、ＥＴＣカードであり、
前記制御を行う処理は、前記ＥＴＣカードの状態を示す情報が、前記ＥＴＣカードを用いて有料道路に入場中であることを示す場合に、前記第一の種類の記憶媒体に対する利用を許可することを特徴とする請求項２または３に記載の記憶媒体管理プログラム。
【請求項５】
前記制御を行う処理は、前記第一の種類の記憶媒体に対する利用を許可するとともに、前記第一の種類の記憶媒体を利用した金銭の支払額を変更することを特徴とする請求項１〜４のいずれか一つに記載の記憶媒体管理プログラム。
【請求項６】
金銭価値と対応付けられた携帯可能な第一の種類の記憶媒体の識別子を受信し、
前記第一の種類の記憶媒体の識別子と該第一の種類とは異なる第二の種類の、特定の場所で利用される記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、前記特定の場所で利用中の状態であることを示す場合に、前記第一の種類の記憶媒体に対する利用を許可する、
処理をコンピュータが実行することを特徴とする記憶媒体管理方法。
【請求項７】
金銭価値と対応付けられた携帯可能な第一の種類の記憶媒体の識別子を受信し、
前記第一の種類の記憶媒体の識別子と該第一の種類とは異なる第二の種類の、特定の場所で利用される記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、前記特定の場所で利用中の状態であることを示す場合に、前記第一の種類の記憶媒体に対する利用を許可する、
制御部を有することを特徴とする記憶媒体管理装置。
【発明の詳細な説明】
【技術分野】
【０００１】
本発明は、記憶媒体管理プログラム、記憶媒体管理方法および記憶媒体管理装置に関する。
【背景技術】
【０００２】
従来、アクティベーションにより、プリペイドカードの利用を許可する技術がある。例えば、アクティベーションによりプリペイドカードの利用を許可するフラグをサーバに設定しておき、プリペイドカードを利用する際に、当該フラグに基づいて、プリペイドカードの利用を許可するか否かをサーバが判断する。
【０００３】
関連する先行技術としては、例えば、信頼されている源からの記憶値カードデータならびに記憶値カードのステータスを変更する要求に応じて、記憶値カードデータならびに記憶値カードのステータスを変更する技術がある。
【先行技術文献】
【特許文献】
【０００４】
【特許文献１】特表２００７−５０９３８１号公報
【発明の概要】
【発明が解決しようとする課題】
【０００５】
しかしながら、従来技術では、利用者の状況に応じて、金銭価値と対応付けられた携帯可能な記憶媒体に対する利用を許可することは困難である。例えば、ＥＴＣ（登録商標）（Ｅｌｅｃｔｒｏｎｉｃ  Ｔｏｌｌ  Ｃｏｌｌｅｃｔｉｏｎ）の利用推奨のため、ＥＴＣを利用している状況において利用者にプリペイドカードを利用可能にさせたい場合がある。しかし、利用者がＥＴＣを利用している状況においてのみ、プリペイドカードの利用を許可することは困難である。
【０００６】
一つの側面では、本発明は、利用者の状況に応じて、金銭価値と対応付けられた携帯可能な記憶媒体に対する利用を許可することができる記憶媒体管理プログラム、記憶媒体管理方法および記憶媒体管理装置を提供することを目的とする。
【課題を解決するための手段】
【０００７】
本発明の一態様によれば、金銭価値と対応付けられた携帯可能な第一の種類の記憶媒体の識別子を受信し、第一の種類の記憶媒体の識別子と該第一の種類とは異なる第二の種類の記憶媒体の識別子とを対応付けて記憶する記憶部を参照して、受信した第一の種類の記憶媒体の識別子に対応する第二の種類の記憶媒体の識別子を特定し、特定した第二の種類の記憶媒体の識別子と対応付けて記憶された該第二の種類の記憶媒体の状態を示す情報が、利用中の状態であるか否かに応じて、第一の種類の記憶媒体に対する利用を許可するか否かを制御する記憶媒体管理プログラム、記憶媒体管理方法および記憶媒体管理装置が提案される。
【発明の効果】
【０００８】
本発明の一側面によれば、利用者の状況に応じて、金銭価値と対応付けられた携帯可能な記憶媒体に対する利用を許可することができるという効果を奏する。
【図面の簡単な説明】
【０００９】
【図１】図１は、実施の形態にかかる記憶媒体管理装置１０１の一実施例を示す説明図である。
【図２】図２は、実施の形態にかかる記憶媒体管理システム２００のシステム構成例を示す説明図である。
【図３】図３は、実施の形態にかかる記憶媒体管理装置１０１のハードウェア構成例を示すブロック図である。
【図４】図４は、実施の形態にかかるカード連携ＤＢ２１０の一例を示す説明図である。
【図５】図５は、実施の形態にかかるＥＴＣ管理ＤＢ２２０の一例を示す説明図である。
【図６】図６は、実施の形態にかかるＰカード管理ＤＢ２３０の一例を示す説明図である。
【図７】図７は、実施の形態にかかる記憶媒体管理装置１０１の機能的構成例を示すブロック図である。
【図８】図８は、実施の形態にかかる記憶媒体管理装置１０１の記憶媒体有効化処理手順の一例を示すフローチャートである。
【図９】図９は、実施の形態にかかる記憶媒体管理装置１０１の記憶媒体管理処理手順の一例を示すフローチャートである。
【発明を実施するための形態】
【００１０】
以下に図面を参照して、本発明にかかる記憶媒体管理プログラム、記憶媒体管理方法および記憶媒体管理装置の実施の形態を詳細に説明する。
【００１１】
（実施の形態）
図１は、実施の形態にかかる記憶媒体管理装置１０１の一実施例を示す説明図である。図１において、記憶媒体管理装置１０１は、第二の種類の記憶媒体が利用中であるか否かに応じて、金銭価値と対応付けられた携帯可能な第一の種類の記憶媒体に対する利用を許可するか否かを制御するコンピュータである。
【００１２】
ここで、記憶媒体とは、データを記憶する媒体である。例えば、記憶媒体には、ＩＣ（Ｉｎｔｅｇｒａｔｅｄ  Ｃｉｒｃｕｉｔ）カード、磁気カード、フラッシュメモリ、磁気ディスク等が存在する。また、金銭価値と対応付けられた携帯可能な記憶媒体とは、記憶媒体を用いることにより、物品またはサービス購入時に支払額の全部または一部の支払いが可能な記憶媒体のことである。例えば、金銭価値と対応付けられた携帯可能な記憶媒体は、プリペイドカードまたは割引カードである。
【００１３】
また、記憶媒体が利用中であるとは、記憶媒体が有する機能を利用者が利用している間である。例えば、記憶媒体がＥＴＣカードである場合、ＥＴＣカードが有する機能は有料道路の料金所のＥＴＣゲートを通過する機能である。このため、ＥＴＣカードが利用中とは、ＥＴＣカードで有料道路に入場し、ＥＴＣカードで有料道路から出場するまでの間である。また、例えば、交通系のＩＣカードで、事前に乗車車両および席を予約でき、その予約情報を管理できるカード（交通系予約管理ＩＣカードと称する）がある。このような交通系予約管理ＩＣカードが有する機能は、鉄道の改札口を通過する機能である。このため、交通系予約管理ＩＣカードが利用中とは、交通系予約管理ＩＣカードで改札口に入り、交通系予約管理ＩＣカードで改札口から出るまでの間である。また、例えば、記憶媒体がＳＩＭ（Ｓｕｂｓｃｒｉｂｅｒ  Ｉｄｅｎｔｉｔｙ  Ｍｏｄｕｌｅ）カードである場合、ＳＩＭカードが有する機能は携帯電話による通話、通信を可能とする機能である。このため、ＳＩＭカードが利用中とは、ＳＩＭカードにより携帯電話による通話、通信が可能である間である。
【００１４】
ここで、入場とは、改札口、料金所等の出入り口などを通って、特定の場所に入ることである。また、出場とは、改札口、料金所等の出入り口などを通って、特定の場所から出ることである。
【００１５】
また、記憶媒体に対する利用を許可するとは、記憶媒体が有する機能の一部または全部を利用者が利用できるように許可することである。例えば、記憶媒体がプリペイドカードである場合、プリペイドカードに対する利用を許可するとは、利用者がプリペイドカードで買い物ができるように許可することである。また、例えば、記憶媒体が割引カードである場合、割引カードに対する利用を許可するとは、利用者が割引カードで買い物の割引ができるように許可することである。
【００１６】
ここで、金銭価値と対応付けられた携帯可能な第一の種類の記憶媒体と異なる種類の特定の記憶媒体の利用を推奨する場合がある。例えば、利用者がＥＴＣカードを利用することで、料金所での混雑が緩和されるため、利用者にＥＴＣカードの利用を推奨する場合がある。
【００１７】
このため、特定の記憶媒体を利用する利用者に特典を与えたいと考えることがある。特典とは、利用者に与えられる特別の権利や待遇のことである。例えば、利用者がＥＴＣカードを利用した場合に限って、有料道路のサービスエリア等で利用者に特典を与えたいと考えることがある。特典として、例えば、プリペイドカードを利用可能とする、または割引を行う等がある。
【００１８】
しかしながら、金銭価値と対応付けられた携帯可能な記憶媒体の利用を、特定の記憶媒体を利用している状況において利用者に許可することは困難である。例えば、ＥＴＣカードは、目的地までの移動中は、車に設置されたＥＴＣ搭載器に入れたまま利用されることが多い。このため、有料道路内のサービスエリア等でプリペイドカードを利用する際、利用者がＥＴＣカードを利用して、有料道路に入場したか否かを判断することは困難である。サービスエリア等でＥＴＣカードを取り出してプリペイドカードと同時に提示することも可能ではあるが、車両に乗り込んだ際に、ＥＴＣ搭載器にカードを入れ忘れたまま出発し、ＥＴＣの出口を出られないという問題を引き起こす原因となっている。このように、利用者がＥＴＣカードを利用している状況においてのみ、プリペイドカードの利用を許可することは困難である。
【００１９】
そこで、実施の形態では、記憶媒体管理装置１０１は、金銭価値と対応付けられた携帯可能な第一の種類の記憶媒体を利用する際、第一の種類の記憶媒体に対応する第二の種類の記憶媒体が利用中であることに応じて、第一の種類の記憶媒体に対する利用を許可する。これにより、第二の種類の記憶媒体を利用する利用者は、第一の種類の記憶媒体を利用できる。このため、記憶媒体管理装置１０１は、利用者の状況に応じて、第一の種類の記憶媒体に対する利用を許可することができる。
【００２０】
以下、記憶媒体管理装置１０１の記憶媒体管理について説明する。また、以下の実施の形態の説明では、金銭価値と対応付けられた携帯可能な第一の種類の記憶媒体として、プリペイドカードを例に、第二の種類の記憶媒体として、ＥＴＣカードを例に説明する。しかしながら、本発明は、他のカードにも適用可能である。例えば、金銭価値と対応付けられた携帯可能な第一の種類の記憶媒体として、支払金額から一定額または一定の割合を割り引く割引カードであることもできる。また、例えば、第二の種類の記憶媒体として、鉄道で利用される交通系予約管理ＩＣカード、携帯電話で利用されるＳＩＭカードであることもできる。
【００２１】
（１）記憶媒体管理装置１０１は、プリペイドカードの利用要求情報を受信する。例えば、記憶媒体管理装置１０１は、プリペイドカードが利用可能な店舗に設置された端末から、利用要求情報を受信する。
【００２２】
ここで、利用要求情報は、利用者がプリペイドカードを利用する際に、端末が、プリペイドカードの利用が許可されているか否かを判断するため、記憶媒体管理装置１０１に送信する情報である。例えば、利用要求情報には、利用者がプリペイドカードで支払う金額、およびプリペイドカードを一意に識別する識別子等が含まれる。
【００２３】
図１の例は、ＥＴＣカードを利用してＥＴＣゲート１１２を通過して有料道路１１１に入場した利用者が、有料道路１１１上の店舗、例えばサービスエリア内の店舗で、プリペイドカードを利用して買い物をする例である。この場合、記憶媒体管理装置１０１は、有料道路１１１のサービスエリア内の店舗に設置された端末から、プリペイドカードの利用要求情報を受信する。
【００２４】
（２）記憶媒体管理装置１０１は、受信した利用要求情報に含まれるプリペイドカードの識別子に対応するＥＴＣカードの識別子を特定する。例えば、記憶媒体管理装置１０１は、記憶部１２１にプリペイドカードの識別子とＥＴＣカードの識別子とを対応付けて記憶し、記憶部１２１を参照することでプリペイドカードの識別子に対応するＥＴＣカードの識別子を特定する。
【００２５】
図１の例では、記憶媒体管理装置１０１は、記憶部１２１を参照することでプリペイドカードの識別子「Ｐ０００１」に対応するＥＴＣカードの識別子「Ｅ０００１」を特定する。
【００２６】
（３）記憶媒体管理装置１０１は、特定したＥＴＣカードが利用中であるか否かに応じて、プリペイドカードの利用を許可するか否かを制御する。例えば、記憶媒体管理装置１０１は、記憶部１２２にＥＴＣカードの識別子に対応付けてＥＴＣカードが利用中であるか否かを示す入場フラグを記憶し、記憶部１２２を参照することでＥＴＣカードが利用中であるか否かを判断する。また、例えば、記憶媒体管理装置１０１は、特定したＥＴＣカードが利用中であることに応じて、プリペイドカードの利用を許可することができる。
【００２７】
ここで、記憶媒体管理装置１０１は、ＥＴＣカードが利用されたことを受信した場合、当該ＥＴＣカードの識別子に対応する入場フラグに「１」を設定することができる。また、例えば、記憶媒体管理装置１０１は、ＥＴＣカードが利用されなくなったことを受信した場合、当該ＥＴＣカードの識別子に対応する入場フラグに「０」を設定することができる。記憶媒体管理装置１０１、例えば、有料道路１１１のＥＴＣゲート１１２からＥＴＣカードが利用されたこと、ＥＴＣカードが利用されなくなったことを受信することができる。
【００２８】
ここで、ＥＴＣカードが利用中であるか否かを示す入場フラグは、記憶媒体管理装置１０１が記憶しない場合もある。この場合、記憶媒体管理装置１０１は、ＥＴＣカードを管理する他の装置に問い合わせて、ＥＴＣカードが利用中であるか否かを判断することができる。
【００２９】
図１の例では、記憶媒体管理装置１０１は、記憶部１２２を参照することでＥＴＣカードの識別子「Ｅ０００１」に対応する入場フラグが「１」であるため、プリペイドカードの利用を許可することができる。
【００３０】
この後、例えば、記憶媒体管理装置１０１は、プリペイドカードが利用可能な店舗に設置された端末に、プリペイドカードの利用可能を通知できる。これにより、利用者はプリペイドカードを利用して買い物をすることができる。
【００３１】
以上説明したように、記憶媒体管理装置１０１は、金銭価値と対応付けられた携帯可能な第一の種類の記憶媒体の識別子を受信し、受信した第一の種類の記憶媒体の識別子に対応する第二の種類の記憶媒体の識別子を特定する。記憶媒体管理装置１０１は、特定した第二の種類の記憶媒体の識別子に対応する第二の種類の記憶媒体の状態を示す情報が、利用中の状態であるか否かに応じて、第一の種類の記憶媒体に対する利用を許可するか否かを制御する。
【００３２】
これにより、第二の種類の記憶媒体を利用する利用者は、第一の種類の記憶媒体を利用できる。このため、記憶媒体管理装置１０１は、利用者の状況に応じて、第一の種類の記憶媒体に対する利用を許可することができる。
【００３３】
（記憶媒体管理システム２００のシステム構成例）
図２は、実施の形態にかかる記憶媒体管理システム２００のシステム構成例を示す説明図である。図２において、記憶媒体管理システム２００は、記憶媒体管理装置１０１と、ＥＴＣゲート装置２０１と、店舗端末２０２と、を含む。記憶媒体管理システム２００において、記憶媒体管理装置１０１と、ＥＴＣゲート装置２０１と、店舗端末２０２とは、有線または無線のネットワーク２４０を介して接続される。ネットワーク２４０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３４】
記憶媒体管理装置１０１は、ＥＴＣカードが利用中であるか否かに応じて、プリペイドカードに対する利用を許可するか否かを制御するコンピュータである。具体的には、例えば、記憶媒体管理装置１０１は、サーバ等のコンピュータである。
【００３５】
記憶媒体管理装置１０１は、カード連携ＤＢ２１０、ＥＴＣ管理ＤＢ２２０およびＰカード管理ＤＢ２３０を有する。図１に示したプリペイドカードの識別子とＥＴＣカードの識別子とを対応付けて記憶する記憶部１２１は、カード連携ＤＢ２１０に対応する。また、図１に示したＥＴＣカードの識別子に対応付けてＥＴＣカードが利用中であるか否かを示す入場フラグを記憶する記憶部１２２は、ＥＴＣ管理ＤＢ２２０に対応する。各種ＤＢ２１０〜２３０の記憶内容については、図４〜図６を用いて後述する。
【００３６】
ＥＴＣゲート装置２０１は、ＥＴＣカードを搭載した車がＥＴＣゲートを通過して有料道路に入場したこと、ＥＴＣゲートを通過して有料道路から出場したことを記憶媒体管理装置１０１に通知するコンピュータである。具体的には、例えば、ＥＴＣゲート装置２０１は、有料道路の料金所に設置されたＥＴＣゲートに組み込まれたコンピュータである。
【００３７】
店舗端末２０２は、プリペイドカードの利用要求情報を記憶媒体管理装置１０１に送信するコンピュータである。具体的には、例えば、店舗端末２０２は、プリペイドカードが利用できる店舗に設置されたＰＯＳ（Ｐｏｉｎｔ  ｏｆ  Ｓａｌｅ）端末である。
【００３８】
（記憶媒体管理装置１０１のハードウェア構成例）
図３は、実施の形態にかかる記憶媒体管理装置１０１のハードウェア構成例を示すブロック図である。図３において、記憶媒体管理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３９】
ここで、ＣＰＵ３０１は、記憶媒体管理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭは記憶部としてＣＰＵ３０１のワークエリアとして使用される。メモリ３０２に記憶されるプログラムは、ＣＰＵ３０１にロードされることで、コーディングされている処理をＣＰＵ３０１に実行させる。
【００４０】
Ｉ／Ｆ３０３は、通信回線を通じてＬＡＮ、ＷＡＮ、インターネットなどのネットワーク２４０に接続され、ネットワーク２４０を介して他のコンピュータ（例えば、図２に記載のＥＴＣゲート装置２０１、店舗端末２０２）に接続される。そして、Ｉ／Ｆ３０３は、ネットワーク２４０と内部のインターフェースを司り、他のコンピュータからのデータの入出力を制御する。Ｉ／Ｆ３０３には、例えば、モデムやＬＡＮアダプタなどを採用することができる。
【００４１】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４２】
なお、記憶媒体管理装置１０１は、上述した構成部のほか、例えば、ＳＳＤ（Ｓｏｌｉｄ  Ｓｔａｔｅ  Ｄｒｉｖｅ）、キーボード、マウス、プリンタ、ディスプレイなどを有することにしてもよい。また、図２に示したＥＴＣゲート装置２０１、店舗端末２０２についても、記憶媒体管理装置１０１と同様のハードウェア構成例により実現することができる。
【００４３】
（カード連携ＤＢ２１０の一例）
図４は、実施の形態にかかるカード連携ＤＢ２１０の一例を示す説明図である。図４において、記憶媒体管理装置１０１のカード連携ＤＢ２１０は、例えば、記憶媒体管理装置１０１によって作成、更新され、記憶媒体管理装置１０１のメモリ３０２またはディスク３０５に記憶される。
【００４４】
カード連携ＤＢ２１０は、ＥＴＣカードの識別子とプリペイドカードの識別子とを対応付けて記憶する。カード連携ＤＢ２１０は、カードＩＤ（ＥＴＣ）およびカードＩＤ（Ｐカード）の項目を有する。カード連携ＤＢ２１０は、各項目に情報を設定することで、カード連携情報（例えば、カード連携情報２１０−１〜２１０−２）をレコードとして記憶する。
【００４５】
ここで、カードＩＤ（ＥＴＣ）は、ＥＴＣカードを識別するための識別子を示す。また、カードＩＤ（Ｐカード）は、プリペイドカードを識別するための識別子を示す。
【００４６】
図４の例では、レコード２１０−１は、識別子「Ｅ０００１」のＥＴＣカードが、識別子「Ｐ０００１」のプリペイドカードと対応付けられることを示す。
【００４７】
（ＥＴＣ管理ＤＢ２２０の一例）
図５は、実施の形態にかかるＥＴＣ管理ＤＢ２２０の一例を示す説明図である。図５において、記憶媒体管理装置１０１のＥＴＣ管理ＤＢ２２０は、例えば、記憶媒体管理装置１０１によって作成、更新され、記憶媒体管理装置１０１のメモリ３０２またはディスク３０５に記憶される。
【００４８】
ＥＴＣ管理ＤＢ２２０は、ＥＴＣカードの識別子を入場フラグおよび連携フラグと対応付けて記憶する。ＥＴＣ管理ＤＢ２２０は、カードＩＤ（ＥＴＣ）、入場フラグおよび連携フラグの項目を有する。ＥＴＣ管理ＤＢ２２０は、各項目に情報を設定することで、ＥＴＣ管理情報（例えば、ＥＴＣ管理情報２２０−１〜２２０−２）をレコードとして記憶する。
【００４９】
ここで、カードＩＤ（ＥＴＣ）は、ＥＴＣカードを識別するための識別子を示す。また、入場フラグは、カードＩＤ（ＥＴＣ）の識別子で識別されるＥＴＣカードを利用して有料道路に入場したことを示す。例えば、入場フラグの項目に「１」が設定された場合、入場フラグはＥＴＣカードを利用して有料道路に入場したことを示す。
【００５０】
また、連携フラグは、カードＩＤ（ＥＴＣ）の識別子で識別されるＥＴＣカードが、プリペイドカードと連携されることを示す。例えば、連携フラグの項目に「１」が設定された場合、連携フラグは、ＥＴＣカードがプリペイドカードと連携されることを示す。ここで、ＥＴＣカードがプリペイドカードと連携されることは、当該ＥＴＣカードの識別子が、カード連携ＤＢ２１０のカードＩＤ（ＥＴＣ）に存在することである。
【００５１】
図５の例では、レコード２２０−１は、識別子「Ｅ０００１」のＥＴＣカードを利用して有料道路に入場したことを示し、さらに、識別子「Ｅ０００１」のＥＴＣカードがプリペイドカードと連携されることを示す。
【００５２】
（Ｐカード管理ＤＢ２３０の一例）
図６は、実施の形態にかかるＰカード管理ＤＢ２３０の一例を示す説明図である。図６において、記憶媒体管理装置１０１のＰカード管理ＤＢ２３０は、例えば、記憶媒体管理装置１０１によって作成、更新され、記憶媒体管理装置１０１のメモリ３０２またはディスク３０５に記憶される。
【００５３】
Ｐカード管理ＤＢ２３０は、プリペイドカードの識別子を、利用可否フラグ、割引可否フラグおよび残高と対応付けて記憶する。Ｐカード管理ＤＢ２３０は、カードＩＤ（Ｐカード）、利用可否フラグ、割引可否フラグおよび残高の項目を有する。Ｐカード管理ＤＢ２３０は、各項目に情報を設定することで、Ｐカード管理情報（例えば、Ｐカード管理情報２３０−１〜２３０−２）をレコードとして記憶する。
【００５４】
ここで、カードＩＤ（Ｐカード）は、プリペイドカードを識別するための識別子を示す。また、利用可否フラグは、カードＩＤ（Ｐカード）の識別子で識別されるプリペイドカードが利用許可されていることを示す。例えば、利用可否フラグの項目に「１」が設定された場合、利用可否フラグは、カードＩＤ（Ｐカード）の識別子で識別されるプリペイドカードは利用可能であることを示す。
【００５５】
また、割引可否フラグは、カードＩＤ（Ｐカード）の識別子で識別されるプリペイドカードを利用した際割引されることを示す。例えば、割引可否フラグの項目に「１」が設定された場合、割引可否フラグは、カードＩＤ（Ｐカード）の識別子で識別されるプリペイドカードを利用した際に割引されることを示す。また、残高は、カードＩＤ（Ｐカード）の識別子で識別されるプリペイドカードの残高を示す。単位は、例えば円である。
【００５６】
図６の例では、レコード２３０−１は、識別子「Ｐ０００１」のプリペイドカードが、利用可能であり、利用時に割引され、残高が３０００円であることを示す。
【００５７】
また、Ｐカード管理ＤＢ２３０が、割引可否フラグを有しない形態であってもよい。この場合、利用可否フラグの項目に「１」が設定された場合、カードＩＤ（Ｐカード）の識別子で識別されるプリペイドカードを利用した際に割引されることにしてもよい。また、カードＩＤ（Ｐカード）の識別子で識別されるプリペイドカードを利用した際の割引を無くすことにしてもよい。
【００５８】
（記憶媒体管理装置１０１の機能的構成例）
次に、図２に示した記憶媒体管理装置１０１の機能的構成例について説明する。図７は、実施の形態にかかる記憶媒体管理装置１０１の機能的構成例を示すブロック図である。図７において、記憶媒体管理装置１０１は、通信部７０１と、特定部７０２と、設定部７０３と、管理部７０４と、を含む構成である。通信部７０１と、特定部７０２と、設定部７０３と、管理部７０４と、を含む制御部は、具体的には、例えば、図３に示したメモリ３０２などの記憶装置に記憶されたプログラムをＣＰＵ３０１に実行させることにより、その機能を実現する。各機能部の処理結果は、例えば、図３に示したメモリ３０２などの記憶装置に記憶される。
【００５９】
通信部７０１は、ＥＴＣゲート装置２０１および店舗端末２０２と通信する機能を有する。通信部７０１は、例えば、ＥＴＣゲート装置２０１から入場情報および出場情報を受信する。また、通信部７０１は、例えば、店舗端末２０２からプリペイドカードの利用要求情報を受信し、プリペイドカードの利用可否情報を店舗端末２０２に送信する。また、通信部７０１は、受信した入場情報および出場情報を特定部７０２および設定部７０３に通知し、受信した利用要求情報を管理部７０４に通知する。
【００６０】
ここで、入場情報は、ＥＴＣカードを搭載した車がＥＴＣゲートを通過して、有料道路に入場したことを示す。出場情報は、ＥＴＣカードを搭載した車がＥＴＣゲートを通過して、有料道路から出場したことを示す。また、入場情報および出場情報には、例えば、ＥＴＣゲートを通過した車に搭載されたＥＴＣカードを識別する識別子が含まれる。
【００６１】
また、利用要求情報は、プリペイドカードの利用が許可されているか否かを判断するため、記憶媒体管理装置１０１に送信される情報である。利用要求情報には、例えば、利用するプリペイドカードを識別する識別子および支払額が含まれる。また、利用可否情報は、プリペイドカードが利用可能または利用不可能であることを示す。利用可否情報には、例えば、プリペイドカードが利用可能または利用不可能であることを示す情報およびプリペイドカードを識別する識別子が含まれる。また、利用可否情報は、プリペイドカード利用時の割引可否を示す情報を含むこともできるし、割引の利用可能または不可能を示す情報であっても良い。
【００６２】
特定部７０２は、通信部７０１から通知された入場情報および出場情報に含まれるＥＴＣカードの識別子に対応付けられたプリペイドカードの識別子を特定する機能を有する。特定部７０２は、ＥＴＣ管理ＤＢ２２０を参照して、ＥＴＣカードの識別子に対応付けて記憶される連携フラグが１である場合、カード連携ＤＢ２１０を参照する。
【００６３】
特定部７０２は、カード連携ＤＢ２１０を参照して、ＥＴＣカードの識別子に対応するプリペイドカードの識別子を特定する。特定部７０２は、特定したプリペイドカードの識別子を設定部７０３に通知する。
【００６４】
設定部７０３は、通信部７０１および特定部７０２から通知された情報に基づきＥＴＣ管理ＤＢ２２０およびＰカード管理ＤＢ２３０の項目を設定する機能を有する。
【００６５】
設定部７０３は、通信部７０１から入場情報が通知された場合、ＥＴＣ管理ＤＢ２２０に対して、入場情報に含まれるＥＴＣカードの識別子に対応付けて記憶される入場フラグに１を設定する。また、設定部７０３は、通信部７０１から出場情報が通知された場合、ＥＴＣ管理ＤＢ２２０に対して、出場情報に含まれるＥＴＣカードの識別子に対応付けて記憶される入場フラグに０を設定する。
【００６６】
設定部７０３は、特定部７０２からプリペイドカードの識別子が通知された場合、Ｐカード管理ＤＢ２３０に対して、プリペイドカードの識別子に対応付けて記憶される利用可否フラグおよび割引可否フラグを設定する。また、設定部７０３は、通信部７０１から入場情報が通知された場合、利用可否フラグおよび割引可否フラグに１を設定し、通信部７０１から出場情報が通知された場合、利用可否フラグおよび割引可否フラグに０を設定する。なお、利用可否フラグか割引可否フラグのいずれかのフラグを１あるいは０に設定するようにすることも可能である。
【００６７】
管理部７０４は、通信部７０１から通知された利用要求情報からプリペイドカードの利用可否を判断し、判断した結果を通信部７０１に通知する機能を有する。
【００６８】
管理部７０４は、利用要求情報に含まれるプリペイドカードの識別子に対応付けて、Ｐカード管理ＤＢ２３０に記憶される利用可否フラグを参照する。管理部７０４は、当該利用可否フラグが１である場合、プリペイドカードの識別子で識別されるプリペイドカードを利用可能と判断して、利用可能であることを示す情報を通信部７０１に通知する。また、管理部７０４は、当該利用可否フラグが１でない場合、プリペイドカードの識別子で識別されるプリペイドカードを利用不可能と判断して、利用不可能であることを示す情報を通信部７０１に通知する。
【００６９】
管理部７０４は、さらに、利用要求情報に含まれるプリペイドカードの識別子に対応付けて記憶される割引可否フラグを参照することもできる。この場合、管理部７０４は、当該割引可否フラグが１である場合、プリペイドカードの識別子で識別されるプリペイドカードでは、割引可能と判断して割引可能であることを示す情報を通信部７０１に通知する。また、管理部７０４は、当該割引可否フラグが１でない場合、プリペイドカードの識別子で識別されるプリペイドカードでは、割引不可能と判断して割引不可能であることを示す情報を通信部７０１に通知する。
【００７０】
また、管理部７０４は、プリペイドカードが利用可能の場合、利用要求情報に含まれるプリペイドカードの識別子に対応付けて記憶される残高を更新する。例えば、管理部７０４は、残高から利用要求情報に含まれる支払額を減算する。また、管理部７０４は、プリペイドカードが割引可能である場合、割引を考慮して、残高から利用要求情報に含まれる支払額を減算する。
【００７１】
（記憶媒体有効化処理手順の一例）
図８は、実施の形態にかかる記憶媒体管理装置１０１の記憶媒体有効化処理手順の一例を示すフローチャートである。ここで、有効化とは、アクティベーションのことであり、プリペイドカードの利用を許可することである。図８において、記憶媒体管理装置１０１は、ＥＴＣゲート装置２０１から情報を受信したか否かを判断する（ステップＳ８０１）。ここで、情報とは入場情報または出場情報である。
【００７２】
ＥＴＣゲート装置２０１から情報を受信しない場合（ステップＳ８０１：Ｎｏ）、記憶媒体管理装置１０１の処理は、ステップＳ８０１に戻る。ＥＴＣゲート装置２０１から情報を受信した場合（ステップＳ８０１：Ｙｅｓ）、記憶媒体管理装置１０１は、受信した情報が入場情報か出場情報かを判断する（ステップＳ８０２）。
【００７３】
受信した情報が、入場情報である場合（ステップＳ８０２：入場情報）、記憶媒体管理装置１０１は、入場情報に含まれるＥＴＣカードの識別子に対応付けて記憶される入場フラグに１を設定する（ステップＳ８０３）。なお、すでにフラグが１に設定されている場合にはエラーとする。記憶媒体管理装置１０１は、入場情報に含まれるＥＴＣカードの識別子に対応付けて記憶される連携フラグが１であるか否かを判断する（ステップＳ８０４）。連携フラグが１でない場合（ステップＳ８０４：Ｎｏ）、記憶媒体管理装置１０１の処理は、終了する。
【００７４】
連携フラグが１である場合（ステップＳ８０４：Ｙｅｓ）、記憶媒体管理装置１０１は、入場情報に含まれるＥＴＣカードの識別子に対応するプリペイドカードの識別子を特定する（ステップＳ８０５）。記憶媒体管理装置１０１は、特定したプリペイドカードの識別子に対応付けて記憶される利用可否フラグおよび割引可否フラグに１を設定する（ステップＳ８０６）。これにより、記憶媒体管理装置１０１の処理は、終了する。
【００７５】
受信した情報が、出場情報である場合（ステップＳ８０２：出場情報）、記憶媒体管理装置１０１は、出場情報に含まれるＥＴＣカードの識別子に対応付けて記憶される入場フラグに０を設定する（ステップＳ８０７）。なお、すでにフラグが０に設定されている場合にはエラーとする。記憶媒体管理装置１０１は、出場情報に含まれるＥＴＣカードの識別子に対応付けて記憶される連携フラグが１であるか否かを判断する（ステップＳ８０８）。連携フラグが１でない場合（ステップＳ８０８：Ｎｏ）、記憶媒体管理装置１０１の処理は、終了する。
【００７６】
連携フラグが１である場合（ステップＳ８０８：Ｙｅｓ）、記憶媒体管理装置１０１は、出場情報に含まれるＥＴＣカードの識別子に対応するプリペイドカードの識別子を特定する（ステップＳ８０９）。記憶媒体管理装置１０１は、特定したプリペイドカードの識別子に対応付けて記憶される利用可否フラグおよび割引可否フラグに０を設定する（ステップＳ８１０）。
【００７７】
これにより、本フローチャートにおける一連の処理は終了する。本フローチャートを実行することで、ＥＴＣカードで有料道路に入場することでプリペイドカードが有効化され、プリペイドカードの利用が許可される。
【００７８】
（記憶媒体管理処理手順の一例）
図９は、実施の形態にかかる記憶媒体管理装置１０１の記憶媒体管理処理手順の一例を示すフローチャートである。図９において、記憶媒体管理装置１０１は、店舗端末２０２からプリペイドカードの利用要求情報を受信したか否かを判断する（ステップＳ９０１）。
【００７９】
店舗端末２０２からプリペイドカードの利用要求情報を受信しない場合（ステップＳ９０１：Ｎｏ）、記憶媒体管理装置１０１の処理は、ステップＳ９０１に戻る。店舗端末２０２からプリペイドカードの利用要求情報を受信した場合（ステップＳ９０１：Ｙｅｓ）、記憶媒体管理装置１０１は、受信した利用要求情報に含まれるプリペイドカードの識別子に対応付けて記憶される利用可否フラグが１であるか否かを判断する（ステップＳ９０２）。
【００８０】
利用可否フラグが１である場合（ステップＳ９０２：Ｙｅｓ）、記憶媒体管理装置１０１は、利用要求情報に含まれるプリペイドカードの識別子に対応付けて記憶される残高を更新する（ステップＳ９０３）。記憶媒体管理装置１０１は、店舗端末２０２にプリペイドカードの利用可能（正常）を通知する（ステップＳ９０４）。これにより、記憶媒体管理装置１０１の処理は終了する。
【００８１】
利用可否フラグが１でない場合（ステップＳ９０２：Ｎｏ）、記憶媒体管理装置１０１は、店舗端末２０２にプリペイドカードの利用不可能（エラー）を通知する（ステップＳ９０５）。
【００８２】
これにより、本フローチャートにおける一連の処理は終了する。本フローチャートを実行することで、利用者はプリペイドカードを店舗で利用して買い物をすることができる。
【００８３】
以上説明したように、記憶媒体管理装置１０１は、金銭価値と対応付けられた携帯可能な第一の種類の記憶媒体の識別子を受信し、受信した第一の種類の記憶媒体の識別子に対応する第二の種類の記憶媒体の識別子を特定する。記憶媒体管理装置１０１は、特定した第二の種類の記憶媒体の識別子に対応する第二の種類の記憶媒体の状態を示す情報が、利用中の状態であるか否かに応じて、第一の種類の記憶媒体に対する利用を許可するか否かを制御する。
【００８４】
これにより、第二の種類の記憶媒体を利用する利用者は、第一の種類の記憶媒体を利用できる。このため、記憶媒体管理装置１０１は、利用者の状況に応じて、第一の種類の記憶媒体に対する利用を許可することができる。
【００８５】
また、第二の種類の記憶媒体は、特定の場所で利用される記憶媒体であることができる。この場合、第二の種類の記憶媒体の状態を示す情報が、特定の場所で利用中の状態であることを示す場合に、記憶媒体管理装置１０１は、第一の種類の記憶媒体に対する利用を許可することができる。
【００８６】
これにより、特定の場所で第二の種類の記憶媒体を利用する利用者は、第一の種類の記憶媒体を利用できる。このため、記憶媒体管理装置１０１は、特定の場所での利用者の状況に応じて、第一の種類の記憶媒体に対する利用を許可することができる。
【００８７】
また、第二の種類の記憶媒体は、特定の場所の入場時および出場時に参照される記憶媒体であることができる。この場合、記憶媒体管理装置１０１は、第二の種類の記憶媒体の状態を示す情報が、第二の種類の記憶媒体が特定の場所の入場時に参照されたことを示す場合に、第一の種類の記憶媒体に対する利用を許可することができる。また、記憶媒体管理装置１０１は、第二の種類の記憶媒体の状態を示す情報が、第二の種類の記憶媒体が特定の場所の出場時に参照されたことを示す場合に、第一の種類の記憶媒体に対する利用を許可しないことができる。
【００８８】
これにより、特定の場所に第二の種類の記憶媒体で入場した利用者は、第一の種類の記憶媒体を利用できる。このため、記憶媒体管理装置１０１は、特定の場所に入場した利用者の状況に応じて、第一の種類の記憶媒体に対する利用を許可することができる。
【００８９】
また、第二の種類の記憶媒体は、特定の場所へ入場するための複数の手段のうち特定の手段で参照され、特定の手段で特定の場所へ入場した場合に、特定の場所からの出場時に参照される記憶媒体であることができる。
【００９０】
これにより、記憶媒体管理装置１０１は、第二の種類の記憶媒体が利用中である場合、特定の場所へ入場するための複数の手段のうち特定の手段で入場したと判断できる。このため、記憶媒体管理装置１０１は、特定の場所に、特定の場所へ入場するための複数の手段のうち特定の手段で入場した場合に、第一の種類の記憶媒体に対する利用を許可することができる。
【００９１】
また、記憶媒体管理装置１０１は、第一の種類の記憶媒体に対する利用を許可するとともに、第一の種類の記憶媒体を用いた金銭の支払額を変更することもできる。
【００９２】
これにより、記憶媒体管理装置１０１は、第二の種類の記憶媒体を利用している利用者が第一の種類の記憶媒体を利用する際に割引することができる。例えば、第二の種類の記憶媒体がＥＴＣカードである場合、記憶媒体管理装置１０１は、ＥＴＣカードを利用して有料道路に入場した利用者がサービスエリア等でそのＥＴＣカードとひもづくプリペイドカードを利用する際に割引することができる。これにより、例えば、ＥＴＣカードの利用を推奨することができる。
【００９３】
なお、本実施の形態で説明した記憶媒体管理方法は、予め用意されたプログラムをパーソナル・コンピュータやワークステーション等のコンピュータで実行することにより実現することができる。記憶媒体管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、記憶媒体管理プログラムは、インターネット等のネットワークを介して配布してもよい。
【００９４】
上述した実施の形態に関し、さらに以下の付記を開示する。
【００９５】
（付記１）金銭価値と対応付けられた携帯可能な第一の種類の記憶媒体の識別子を受信し、
前記第一の種類の記憶媒体の識別子と該第一の種類とは異なる第二の種類の記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、利用中の状態であるか否かに応じて、前記第一の種類の記憶媒体に対する利用を許可するか否かを制御する、
処理をコンピュータに実行させることを特徴とする記憶媒体管理プログラム。
【００９６】
（付記２）前記第二の種類の記憶媒体は、特定の場所で利用される記憶媒体であり、
前記制御する処理は、前記第二の種類の記憶媒体の状態を示す情報が、前記特定の場所で利用中の状態であることを示す場合に、前記第一の種類の記憶媒体に対する利用を許可することを特徴とする付記１に記載の記憶媒体管理プログラム。
【００９７】
（付記３）前記第二の種類の記憶媒体は、前記特定の場所の入場時および出場時に参照される記憶媒体であり、
前記制御する処理は、前記第二の種類の記憶媒体の状態を示す情報が、前記第二の種類の記憶媒体が前記特定の場所の入場時に参照されたことを示す場合に、前記第一の種類の記憶媒体に対する利用を許可し、前記第二の種類の記憶媒体の状態を示す情報が、前記第二の種類の記憶媒体が前記特定の場所の出場時に参照されたことを示す場合に、前記第一の種類の記憶媒体に対する利用を許可しないことを特徴とする付記２に記載の記憶媒体管理プログラム。
【００９８】
（付記４）前記第二の種類の記憶媒体は、前記特定の場所へ入場するための複数の手段のうち特定の手段で参照され、前記特定の手段で前記特定の場所へ入場した場合に、前記特定の場所からの出場時に参照される記憶媒体であることを特徴とする付記３に記載の記憶媒体管理プログラム。
【００９９】
（付記５）前記第二の種類の記憶媒体は、ＥＴＣカードであり、
前記制御する処理は、前記ＥＴＣカードの状態を示す情報が、前記ＥＴＣカードを用いて有料道路に入場中であることを示す場合に、前記第一の種類の記憶媒体に対する利用を許可することを特徴とする付記３または４に記載の記憶媒体管理プログラム。
【０１００】
（付記６）前記制御する処理は、前記第一の種類の記憶媒体に対する利用を許可するとともに、前記第一の種類の記憶媒体を利用した金銭の支払額を変更することを特徴とする付記１〜５のいずれか一つに記載の記憶媒体管理プログラム。
【０１０１】
（付記７）金銭価値と対応付けられた携帯可能な第一の種類の記憶媒体の識別子を受信し、
前記第一の種類の記憶媒体の識別子と該第一の種類とは異なる第二の種類の記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、利用中の状態であるか否かに応じて、前記第一の種類の記憶媒体に対する利用を許可するか否かを制御する、
処理をコンピュータに実行させる記憶媒体管理プログラムを記録したことを特徴とする前記コンピュータに読み取り可能な記録媒体。
【０１０２】
（付記８）金銭価値と対応付けられた携帯可能な第一の種類の記憶媒体の識別子を受信し、
前記第一の種類の記憶媒体の識別子と該第一の種類とは異なる第二の種類の記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、利用中の状態であるか否かに応じて、前記第一の種類の記憶媒体に対する利用を許可するか否かを制御する、
処理をコンピュータが実行することを特徴とする記憶媒体管理方法。
【０１０３】
（付記９）金銭価値と対応付けられた携帯可能な第一の種類の記憶媒体の識別子を受信し、
前記第一の種類の記憶媒体の識別子と該第一の種類とは異なる第二の種類の記憶媒体の識別子とを対応付けて記憶する記憶部を参照して、受信した前記第一の種類の記憶媒体の識別子に対応する前記第二の種類の記憶媒体の識別子を特定し、
特定した前記第二の種類の記憶媒体の識別子と対応付けて記憶された該第二の種類の記憶媒体の状態を示す情報が、利用中の状態であるか否かに応じて、前記第一の種類の記憶媒体に対する利用を許可するか否かを制御する、
制御部を有することを特徴とする記憶媒体管理装置。
【符号の説明】
【０１０４】
１０１  記憶媒体管理装置
２０１  ＥＴＣゲート装置
２０２  店舗端末
７０１  通信部
７０２  特定部
７０３  設定部
７０４  管理部
【図１】
0006439386.tif 000002
【図２】
0006439386.tif 000003
【図３】
0006439386.tif 000004
【図４】
0006439386.tif 000005
【図５】
0006439386.tif 000006
【図６】
0006439386.tif 000007
【図７】
0006439386.tif 000008
【図８】
0006439386.tif 000009
【図９】
0006439386.tif 000010